(57)【要約】アンテナ（１０４）とインタフェース（１０５）とアプリケーション（１１０）とを含む移動装置（１０１）。アンテナ（１０４）は信号（１０３）を受信可能である。インタフェース（１０５）は、信号（１０３）と同期した第２信号（１１８）を受信可能であり、アプリケーション（１１０）は信号（１０３）と第２信号（１１８）とを用いて受信ダイバーシティ処理を行うものとされる。さらに、アンテナ（２０４）とインタフェース（２０５）と第２のアプリケーション（２１０）とを含む移動装置（２０１）も含まれ、第２のアプリケーションは、信号（２０３）と第２信号（２１８）とを用いて多入力多出力（ＭＩＭＯ）処理を行うものとされる。受信ダイバーシティ処理およびＭＩＭＯ処理によって、受信信号の帯域幅および処理ゲインを増大させることができる。移動装置（１０１、２０１）は、それぞれ受信ダイバーシティ処理もＭＩＭＯ処理も行うことができる。【選択図】図９
2011511504.tif 000002
【特許請求の範囲】
【請求項１】
信号（１０３）を受信可能なアンテナ（１０４）と、
前記信号（１０３）と同期した第２信号（１１８）を受信可能なインタフェース（１０５）と、
前記信号（１０３）と前記第２信号（１１８）とを用いて受信ダイバーシティ処理を行うアプリケーション（１１０）と
を含む移動装置（１０１）。
【請求項２】
前記インタフェース（１０５）は高帯域幅低遅延インタフェースを含む、請求項１に記載の装置。
【請求項３】
前記インタフェース（１０５）は、超広帯域（ＵＷＢ）インタフェース、マイクロ波インタフェース、ＷｉＭＡＸ（マイクロ波アクセス用世界的相互運用性）インタフェース、無線ＵＳＢ（ユニバーサルシリアルバス）インタフェースのうちの１つを含む、請求項１に記載の装置。
【請求項４】
前記第１移動装置（１０１）と同期した第２移動装置（１０２）での前記信号（１０３）と前記第２信号（１１８）との受信ダイバーシティ処理のため、前記第２移動装置（１０２）へ前記信号（１０３）を伝送可能な前記インタフェース（１０５）をさらに含む、請求項１に記載の装置。
【請求項５】
第２移動装置（１０２）と同期した前記移動装置（１０１）での前記信号（１０３）と前記第２信号（１１８）との受信ダイバーシティ処理のため、前記第２移動装置（１０２）から前記第２信号（１１８）を受信可能な前記インタフェース（１０５）をさらに含む、請求項１に記載の装置。
【請求項６】
前記移動装置（１０１、１０２）は、ポータブルコンピュータ、携帯情報端末（ＰＤＡ）、携帯電話、音声データ受信機、映像データ受信機、衛星データ受信機、電子ゲームのうちの１つを含む、請求項１に記載の装置。
【請求項７】
前記移動装置（３０１）は、同期した前記信号（３０５）と前記第２信号（３０６）との前記受信ダイバーシティ処理中に、第３信号（３０７）を処理する、請求項１に記載の装置。
【請求項８】
前記移動装置（３０１）は、同期した前記信号（３０５）と前記第２信号（３０６）との前記受信ダイバーシティ処理中に、電気通信信号を処理する、請求項７に記載の装置。
【請求項９】
前記第２信号（１１８）は前記信号（１０３）の派生信号を含み、前記受信ダイバーシティ処理は前記信号（１０３）と前記派生信号（１１８）とを同期させて行う、請求項１に記載の装置。
【請求項１０】
信号（２０３）を受信可能なアンテナ（２０４）と、
前記信号（２０３）と同期した第２信号（２１８）を受信可能なインタフェース（２０５）と、
前記信号（２０３）と前記第２信号（２１８）とを用いてＭＩＭＯ（多入力多出力）処理を行うアプリケーション（２１０）と
を含む移動装置（２０１）。
【請求項１１】
前記インタフェース（２０５）は高帯域幅低遅延インタフェースを含む、請求項１０に記載の装置。
【請求項１２】
前記インタフェース（２０５）は、超広帯域（ＵＷＢ）インタフェース、マイクロ波インタフェース、ＷｉＭＡＸ（マイクロ波アクセス用世界的相互運用性）インタフェース、無線ＵＳＢ（ユニバーサルシリアルバス）インタフェースのうちの１つを含む、請求項１０に記載の装置。
【請求項１３】
前記移動装置（２０１）と同期した第２移動装置（２０２）での前記信号（２０３）と前記第２信号（２１８）とのＭＩＭＯ処理のため、前記第２移動装置（２０２）へ前記信号（２０３）を伝送可能な前記インタフェース（２０５）をさらに含む、請求項１０に記載の装置。
【請求項１４】
第２移動装置（２０２）と同期した前記移動装置（２０１）での前記信号（２０３）と前記第２信号（２１８）とのＭＩＭＯ処理のため、前記第２移動装置（２０２）から前記第２信号（２１８）を受信可能な前記インタフェース（２０５）をさらに含む、請求項１０に記載の装置。
【請求項１５】
前記移動装置（２０１）は、ポータブルコンピュータ、携帯情報端末（ＰＤＡ）、携帯電話、音声データ受信機、映像データ受信機、衛星データ受信機、電子ゲームのうちの１つを含む、請求項１０に記載の装置。
【請求項１６】
前記移動装置（４０１）は、同期した前記信号（４０５）と前記第２信号（４０７）との前記ＭＩＭＯ処理中に、第３信号（４０７）を処理する、請求項１０に記載の装置。
【請求項１７】
前記移動装置（４０１）は、同期した前記信号（４０５）と前記第２信号（４０６）との前記ＭＩＭＯ処理中に、電気通信信号を処理する、請求項１６に記載の装置。
【請求項１８】
前記第２信号（２１８）は前記信号（２０３）の派生信号を含み、前記ＭＩＭＯ処理は前記信号（２０３）と前記派生信号（２１８）とを同期させて行う、請求項１０に記載の装置。
【請求項１９】
少なくとも２つの装置の間の受信ダイバーシティ処理およびＭＩＭＯ（多入力多出力）処理のための方法であって、
第１移動装置で第１信号を受信するステップ（９０１）と、
第２移動装置で少なくとも１つの第２信号を受信するステップ（９０２）と、
前記第１移動装置へ前記少なくとも１つの第２信号を伝送するステップ（９０６）と、
前記少なくとも１つの第２信号が前記第１信号の派生信号を含む場合、前記第１信号と前記少なくとも１つの第２信号とを用いて受信ダイバーシティ処理を行うステップ（９０７）と、
前記第１信号と異なる情報を含んだ信号を前記少なくとも１つの第２信号が含む場合、前記第１信号と前記少なくとも１つの第２信号とを用いてＭＩＭＯ処理を行うステップ（９０７）と
を含む方法。
【発明の詳細な説明】
【技術分野】
【０００１】
本出願は、２００７年１２月２８日出願の仮特許出願６１／０１７，１９１号に対する優先権を主張する。上記仮特許出願の内容全体を参照により本明細書に組み入れるものとする。
【０００２】
本発明は、受信ダイバーシティおよび多入力多出力に関し、より具体的には、複数の移動装置を用いた受信ダイバーシティおよび多入力多出力に関する。
【背景技術】
【０００３】
現在、受信信号品質を改善したり、送信の帯域幅を増大させたりする技術は色々ある。受信ダイバーシティは、無線装置あるいは移動装置の２または３以上の受信部を用いて、マルチパス信号の歪みを除去する１つの技術であり、信号対雑音比が最良のアンテナからの信号を使用するか、または両アンテナで受信される着信信号を使用し、第１のアンテナの良好部分と第２アンテナの良好部分とを使用するかのいずれかによって、マルチパス信号の歪みを除去するものである。
【０００４】
加えて、多入力多出力（ＭＩＭＯ：ｍｕｌｔｉｐｌｅ  ｉｎｐｕｔ  ｍｕｌｔｉｐｌｅ  ｏｕｔｐｕｔ）技術には、複数の送信アンテナと複数の受信アンテナを無線装置で使用して、帯域幅を増大させ、パフォーマンスを改善することが含まれる。例えば、２つの送信アンテナを使用し、２または３以上の受信アンテナを使用すると、異なる情報を伝搬する２つの同時データストリームを送信し、データレートと帯域幅を２倍にすることができる。
【０００５】
しかしながら、現在、アンテナを追加して追加帯域幅を得ようとするところで、問題が存在する。追加アンテナを追加することで移動装置のデータレートを増加するには、移動装置に追加スペースが必要であり、移動装置のサイズを増大させてしまう。また、２つの異なる受信信号間で十分なダイバーシティを得るため、アンテナ間には、他方と組合せ可能で、両受信アンテナが同一信号を受信できるような最小距離が必要である。さらに、受信信号の周波数が低ければ低いほど、必要なアンテナのサイズは大きくなり、２つのアンテナ間に必要な距離は大きくなる。このため、帯域幅を増大するための受信ダイバーシティ処理およびＭＩＭＯ処理をサポートするには、移動装置のサイズをさらに追加して増大させる必要がある。
【発明の概要】
【０００６】
本発明の一観点によれば、移動装置が、信号を受信可能なアンテナと、信号と同期した第２信号を受信可能なインタフェースと、信号と第２信号とを用いて受信ダイバーシティ処理を行うアプリケーションとを含む。
【０００７】
本発明の別の観点によれば、移動装置が、信号を受信可能なアンテナと、信号と同期した第２信号を受信可能なインタフェースと、信号と第２信号とを用いてＭＩＭＯ処理を行うアプリケーションとを含む。
【０００８】
本発明のさらに別の観点によれば、少なくとも２つの装置の間の受信ダイバーシティ処理およびＭＩＭＯ（多入力多出力）処理のための方法が、第１移動装置で第１信号を受信するステップと、第２移動装置で少なくとも１つの第２信号を受信するステップと、第１移動装置へ少なくとも１つの第２信号を伝送するステップと、少なくとも１つの第２信号が第１信号の派生信号を含む場合、第１信号と少なくとも１つの第２信号とを用いて受信ダイバーシティ処理を行うステップと、第１信号と異なる情報を含んだ信号を少なくとも１つの第２信号が含む場合、第１信号と少なくとも１つの第２信号とを用いてＭＩＭＯ処理を行うステップとを含む。
【図面の簡単な説明】
【０００９】
本発明の実施形態を非限定的に例示する複数の下記図面を参照しながら、以下の発明を実施するための形態において本発明をさらに説明するが、ここで、図面の図いくつかにわたって、同一の参照番号は同様の部分を表している。
【００１０】
【図１】図１は、本発明の一実施形態例による受信ダイバーシティ処理のためのシステムの図である。
【図２】図２は、本発明の一実施形態例によるＭＩＭＯ処理のためのシステムの図である。
【図３】図３は、本発明の一実施形態例による、複数の移動装置を用いた受信ダイバーシティ処理のためのシステムの図である。
【図４】図４は、本発明の一実施形態例による、複数の移動装置を用いたＭＩＭＯ処理のためのシステムの図である。
【図５】図５は、本発明の別の実施形態例による受信ダイバーシティのためのシステムの図である。
【図６】図６は、本発明の別の実施形態例によるＭＩＭＯ処理のためのシステムの図である。
【図７】図７は、本発明の一実施形態例による受信ダイバーシティ処理のための処理のフローチャートである。
【図８】図８は、本発明の一実施形態例によるＭＩＭＯ処理のための処理のフローチャートである。
【図９】図９は、本発明の別の実施形態例による、帯域幅を増大させる処理のフローチャートである。
【図１０】図１０は、本発明の一実施形態例による同時増大帯域幅サポートおよび信号処理のための処理のフローチャートである。
【発明を実施するための形態】
【００１１】
当業者であれば明らかであろうが、本発明は、方法、システム、コンピュータプログラムプロダクト、または上記の組合せとして実施することが可能である。したがって、本発明は、完全にハードウェアの実施形態、完全にソフトウェアの実施形態（ファームウェア、常駐ソフトウェア、マイクロコードなどを含む）、または、ここでは一般に「システム」ということがある、ソフトウェアの態様とハードウェアの態様とを組み合わせた実施形態をとることができる。さらに、本発明は、コンピュータ使用可能格納媒体におけるコンピュータプログラムプロダクトの形態をとり、媒体においてコンピュータ使用可能プログラムコードを実施させることも可能である。
【００１２】
適切であれば、どのようなコンピュータ使用可能媒体やコンピュータ読出可能媒体を使用してもよい。コンピュータ使用可能媒体またはコンピュータ読出可能媒体としては、例えば、電子、磁気、光、電磁気、赤外線、半導体のシステム、装置、デバイス、プログラム媒体が挙げられるが、上記に限られない。より具体的なコンピュータ読出可能媒体の例（非排他的リスト）としては、以下が含まれよう。すなわち、１または２以上の配線を有する電子接続；ポータブルコンピュータディスケット、ハードディスク、ランダムアクセスメモリ（ＲＡＭ：ｒａｎｄｏｍ  ａｃｃｅｓｓ  ｍｅｍｏｒｙ）、読出専用メモリ（ＲＯＭ：ｒｅａｄ−ｏｎｌｙ  ｍｅｍｏｒｙ）、消去可能プログラム可能読出専用メモリ（ＥＰＲＯＭ：ｅｒａｓａｂｌｅ  ｐｒｏｇｒａｍｍａｂｌｅ  ｒｅａｄ−ｏｎｌｙ  ｍｅｍｏｒｙまたはフラッシュメモリ）、コンパクトディスク読出専用メモリ（ＣＤ−ＲＯＭ）など、またはその他の有形光格納デバイスや有形磁気格納デバイスなどの有形媒体；インターネットやイントラネットをサポートするもののような送信媒体。コンピュータ使用可能媒体やコンピュータ読出可能媒体は、プログラムを印刷する紙やその他の適切な媒体とすることさえ可能であり、プログラムは、例えば紙やその他の媒体の光学スキャンによって電子的にキャプチャし、コンパイルし、解読し、あるいは適切に処理することができる。また、必要であればコンピュータ記憶部に記憶することができる。
【００１３】
この書類では、コンピュータ使用可能媒体やコンピュータ読出可能媒体は、命令実行システム、プラットフォーム、装置、デバイスが使用したり、関連して使用したりするプログラムを含むこと、記憶すること、通信すること、伝達すること、または伝送することが可能であれば、いかなる媒体であってもよい。コンピュータ使用可能媒体は、伝達データ信号を、それで実施されたコンピュータ使用可能プログラムコードとともに、ベースバンドに、または搬送波の一部として含むことができる。コンピュータ使用可能プログラムコードは、インターネット、配線、光ファイバケーブル、無線周波（ＲＦ：ｒａｄｉｏ  ｆｒｅｑｕｅｎｃｙ）などやその他の手段を用いて送信することが可能であるが、上記に限られず、適切であれば、いかなる媒体を用いて送信することも可能である。
【００１４】
本発明の動作を実行するコンピュータプログラムコードは、Ｊａｖａ、Ｐｅｒｌ、Ｓｍａｌｌｔａｌｋ、Ｃ＋＋などのオブジェクト指向のプログラミング言語、スクリプトのプログラミング言語、非スクリプトのプログラミング言語で書かれたものとすることができる。しかしながら、本発明の動作を実行するコンピュータプログラムコードは、「Ｃ」プログラミング言語や同様のプログラミング言語のような従来の手続き型プログラミング言語で書かれたものとすることも可能である。
【００１５】
以下、本発明の実施形態による方法、装置（システム）、コンピュータプログラムプロダクトについてのフローチャート、説明図、ブロック図を参照しながら、本発明を説明する。フローチャート、説明図、ブロック図の各ブロック、およびフローチャート、説明図、ブロック図のブロックの組合せは、コンピュータプログラム命令によって実施可能であることが理解されよう。汎用コンピュータ、専用コンピュータ、あるいはその他のプログラム可能データ処理装置の処理部に、かかるコンピュータプログラム命令を与え、機械を製造することで、コンピュータや他のプログラム可能データ処理装置の処理部が実行する命令が、フローチャートやブロック図のブロックに特定される機能／行動を実施する手段を創造することができる。
【００１６】
かかるコンピュータプログラム命令は、コンピュータや他のプログラム可能データ処理装置を機能させることができるコンピュータ読出可能メモリに記憶することで、コンピュータ読出可能メモリに記憶された命令は、フローチャートやブロック図のブロックに特定される機能／行動を実施する命令手段を備えた製品を製造することも可能である。
【００１７】
コンピュータプログラム命令は、コンピュータや他のプログラム可能データ処理装置にロードし、コンピュータや他のプログラム可能装置で一連の動作を実行させ、コンピュータ実施処理を製造することで、コンピュータや他のプログラム可能装置が実行する命令は、フローチャートやブロック図のブロックに特定される機能／行動を実施するステップを提供することも可能である。あるいは、コンピュータプログラム実施ステップまたは行動は、本発明の実施形態を実行するために、オペレータまたは人間実施ステップまたは行動と組み合わせることも可能である。
【００１８】
本発明による実施形態は、例えば、第１信号を直接受信し、１または２以上の他の装置から１または２以上の第２信号を受信することが可能で、第１信号と１または２以上の第２信号との同期処理を行い、帯域幅と、受信した第１信号の処理ゲインとを増大させる携帯電話、携帯情報端末（ＰＤＡ：Ｐｅｒｓｏｎａｌ  Ｄｉｇｉｔａｌ  Ａｓｓｉｓｔａｎｔ）、無線モデム付ラップトップ型コンピュータなどの移動装置を含んだものである。移動装置は、第１信号と１または２以上の第２信号とを用いて、同期した受信ダイバーシティ処理を行うことで、帯域幅を増大させることができる。また、移動装置は、第１信号と１または２以上の第２信号とを用いて、同期した多入力多出力（ＭＩＭＯ）処理を行うことで、帯域幅を増大させることができる。本発明の実施形態によれば、移動装置は、第１信号と１または２以上の第２信号とを用いた同期受信ダイバーシティ処理、および第１信号と１または２以上の第２信号とを用いた同期多入力多出力（ＭＩＭＯ）処理の両方を行い、受信した第１信号の帯域幅／処理ゲインを増大させることも可能である。１または２以上の第２装置についても、例えば携帯電話やＰＤＡなどの移動装置とすることができる。
【００１９】
本発明による実施形態は、それぞれ単一の受信アンテナを有する２または３以上の移動装置を含んだものとすることが可能であり、２または３以上の移動装置は、２または３以上の移動装置の間の受信ダイバーシティ同期処理やＭＩＭＯ同期処理のため、高帯域幅低遅延インタフェースによって情報を伝送するものとすることができる。高帯域幅低遅延インタフェースについては、低エネルギーで短距離のインタフェースとすることも可能である。高帯域幅低遅延インタフェースは、例えば、超広帯域（ＵＷＢ：ｕｌｔｒａ  ｗｉｄｅ  ｂａｎｄ）インタフェース、マイクロ波インタフェース、ＷｉＭＡＸ（ｗｏｒｌｄ−ｗｉｄｅ  ｉｎｔｅｒｏｐｅｒａｂｉｌｉｔｙ  ｆｏｒ  ｍｉｃｒｏｗａｖｅ  ａｃｃｅｓｓ：マイクロ波アクセス用世界的相互運用性、ワイマックス）インタフェース、無線ＵＳＢ（ｕｎｉｖｅｒｓａｌ  ｓｅｒｉａｌ  ｂｕｓ：ユニバーサルシリアルバス）インタフェースなど、いかなる種類の無線高帯域幅インタフェースとすることも可能である。本発明の実施形態によれば、受信情報のソフトビットを移動装置間で共有して、高いデータレートの処理ゲインを与えることができる。同様に、高帯域幅低遅延インタフェースによって他の移動装置へデータを送信することで追加のアップリンクチャネルを提供することも可能である。複数のデータチャネルを用いた増分冗長技術によって、ハイブリッド自動再送要求（ＨＡＲＱ：ｈｙｂｒｉｄ  ａｕｔｏｍａｔｉｃ  ｒｅｐｅａｔ  ｒｅｑｕｅｓｔ）を得ることも可能である。
【００２０】
アンテナは、情報を送信することにも、受信することにも使用することができる。「受信アンテナ」、「送信アンテナ」という言葉を用いた場合は、本発明の実施形態の説明のため、単に信号の送信方向を示すためだけに用いている。このような言葉は、アンテナを送信専用アンテナまたは受信専用アンテナのどちらかに限定するものではない。
【００２１】
図１は、本発明の一実施形態例による受信ダイバーシティ処理のためのシステムの図を示している。システム１００は、第１移動装置１０１と第２移動装置１０２とを含んだものとする。第１移動装置１０１は、移動装置１０１の受信アンテナ１０４を介して、受信部１０７で信号１０３を受信することができる。受信部１０８からの復調データ（ソフトビット）は処理部１０６に渡るものとすることができる。また、移動装置１０１は、第２移動装置１０２からのデータ（ソフトビット）を受信する高帯域幅低遅延インタフェース１０５を備えたものとすることもできる。このデータもまた処理部１０６に渡るものとし、そして処理部１０６に相互接続した記憶部１０９に渡るものとすることができる。記憶部１０９は、第２移動装置１０２との同期受信ダイバーシティ処理を可能とする同期アプリケーション１１０を含んだものとすることができる。処理部１０６は、受信ダイバーシティ処理１０７を行うハードウェアやソフトウェアを備えたものとすることができる。第１移動装置１０１は、例えばコンピュータ（例えばラップトップ型コンピュータ）、携帯情報端末（ＰＤＡ）、携帯電話、音声データ受信機、映像データ受信機、衛星データ受信機、電子ゲームなど、いかなるタイプの移動装置とすることもできる。
【００２２】
同様に、第２移動装置１０２は、移動装置１０２のアンテナ１１１を介して、受信部１１５で第２信号１１８を受信することができる。また、第２移動装置１０２は、受信部１１５からの復調データを、処理部１１３を介して第１移動装置１０１へ送信する高帯域幅低遅延インタフェース１１５を備えたものとすることもできる。第２記憶部１１６は、第１移動装置１０１との同期受信ダイバーシティ処理を可能とする第２同期アプリケーション１１７を含んだものとすることができる。第２処理部１１３は、受信ダイバーシティ処理１１４を行うハードウェアやソフトウェアを備えたものとすることができる。第２移動装置１０２は、例えばコンピュータ（例えばラップトップ型コンピュータ）、携帯情報端末（ＰＤＡ）、携帯電話、音声データ受信機、映像データ受信機、衛星データ受信機、電子ゲームなど、いかなるタイプの移動装置とすることもできる。
【００２３】
第１移動装置１０１は、第２移動装置１０２から第１移動装置１０１へ送信された第１信号１０３と第２信号１１８との受信ダイバーシティ処理を行うことができる。第１移動装置１０１は第２信号１１８を受信し、第２信号が第１信号１０３と同一の情報を含んだ元の信号の派生物であって受信ダイバーシティ処理を行うことができるかどうかを判定するものとすることができる。第２信号１１８のデータ（ソフトビット）は、第２移動装置１０２の第２高帯域幅低遅延インタフェース１１２から、第１移動装置１０１の第１高帯域幅低遅延インタフェース１０５へ送信されるものとすることができる。第２信号１１８は、有線送信で送信することもできれば、無線送信で送信することもできる。第１同期アプリケーション１１０は、第１移動装置１０１の第１処理部１０６によって実行され、第２移動装置１０２の第２同期アプリケーション１１７と通信し、第２移動装置１０２との第１移動装置１０１の同期受信ダイバーシティ処理を可能とすることができる。ここで、第１移動装置１０１は、第１信号１０３に関する同期情報や、受信ダイバーシティ処理で使用可能な第２信号１１８を通信することができる。また、状況を逆にして、第２移動装置１０２が第１移動装置１０１から第１信号１０３のデータ（ソフトビット）を受信し、第１信号１０３と第２信号１１８とを用いて受信ダイバーシティ処理を行うものとすることも可能である。
【００２４】
第１移動装置１０１と第２移動装置１０２との間で、高帯域幅低遅延インタフェース１０５、１１２を介して、またはこれらの装置間の他の無線インタフェースを介して、同期情報を通信するものとすることができる。同期情報は、低帯域幅型チャネルによって通信するものとすることができる。例えば、同期情報は、赤外線、Ｂｌｕｅｔｏｏｔｈ、あるいはその他のタイプのチャネルによって通信することができる。同期情報は、第１移動装置１０１と第２移動装置１０２との間の同期受信ダイバーシティ処理を可能とするものである。例えば、第１移動装置１０１がモデム（図示せず）を介して第１信号１０３を受信するラップトップ型コンピュータであるとすると、第１移動装置１０１は、受信した第１信号１０３の帯域幅を増大させたいがため、第２移動装置１０２から第２信号１１８を受信し、帯域幅の増大を可能とすることができる。
【００２５】
したがって、本発明の実施形態によれば、２つの移動装置を使用して、互いに受信ダイバーシティ処理を行うことができる。各移動装置は、単一の受信アンテナのみを備え、信号の受信ダイバーシティ処理を実行することが可能なものとすることができる。携帯電話などの第２移動装置と同期して受信ダイバーシティ処理を行うことにより、受信したデータの帯域幅を増大させたり、受信信号の品質を改善したりすることができる。
【００２６】
図２は、本発明の一実施形態例によるＭＩＭＯ処理のためのシステムの図を示している。システム２００は、第１移動装置２０１と第２移動装置２０２とを含んだものとする。第１移動装置２０１は、移動装置２０１の受信アンテナ２０４を介して、受信部２０７で信号２０３を受信することができる。受信部２０７からの復調データ（ソフトビット）は処理部２０６に渡るものとすることができる。また、第１移動装置２０１は、第２移動装置２０２からのデータ（ソフトビット）を受信する高帯域幅低遅延インタフェース２０５を備えたものとすることもできる。このデータもまた処理部２０６に渡るものとし、そして処理部２０６に相互接続した記憶部２０９に渡るものとすることができる。記憶部２０９は、第２移動装置２０２との同期ＭＩＭＯ処理を可能とする同期アプリケーション２１０を含んだものとすることができる。処理部２０６は、ＭＩＭＯ処理２０８を行うハードウェアやソフトウェアを備えたものとすることができる。第１移動装置２０１は、例えばコンピュータ（例えばラップトップ型コンピュータ）、携帯情報端末（ＰＤＡ）、携帯電話、音声データ受信機、映像データ受信機、衛星データ受信機、電子ゲームなど、いかなるタイプの移動装置とすることもできる。
【００２７】
同様に、第２移動装置２０２は、移動装置２０２のアンテナ２１１を介して、受信部２１４で第２信号２１８を受信することができる。また、第２移動装置２０２は、受信部２１４からの復調データを、処理部２１３を介して第１移動装置２０１へ送信する高帯域幅低遅延インタフェース２１２を備えたものとすることもできる。第２記憶部２１６は、第１移動装置２０１との同期ＭＩＭＯ処理を可能とする第２同期アプリケーション２１７を含んだものとすることができる。第２処理部２１３は、ＭＩＭＯ処理２１５を行うハードウェアやソフトウェアを備えたものとすることができる。第２移動装置２０２は、例えばコンピュータ（例えばラップトップ型コンピュータ）、携帯情報端末（ＰＤＡ）、携帯電話、音声データ受信機、映像データ受信機、衛星データ受信機、電子ゲームなど、いかなるタイプの移動装置とすることもできる。
【００２８】
第１移動装置２０１は、第２移動装置２０２から第１移動装置２０１へ送信された第１信号２０３と第２信号２１８とのＭＩＭＯ処理を行うことができる。第１移動装置２０１は第２信号２１８を受信し、第２信号が第１信号２０３と異なる情報を含んだ信号であってＭＩＭＯ処理を行うことができるかどうかを判定するものとすることができる。第２信号２１８は、第２移動装置２０２の第２高帯域幅低遅延インタフェース２１２から、第１移動装置２０１の第１高帯域幅低遅延インタフェース２０５へ送信されるものとすることができる。第２信号２１８は、有線送信で送信することもできれば、無線送信で送信することもできる。同期アプリケーション２１０は、第１移動装置２０１の第１処理部２０６によって実行され、第２移動装置２０２の同期アプリケーション２１７と通信し、第２移動装置２０２との第１移動装置２０１の同期ＭＩＭＯ処理を可能とすることができる。ここで、第１移動装置２０１は、第１信号２０３に関する同期情報や、ＭＩＭＯ処理で使用可能な第２信号２１８を通信することができる。また、状況を逆にして、第２移動装置２０２が第１移動装置２０１から第１信号２０３を受信し、第１信号２０３と第２信号２１８とを用いてＭＩＭＯ処理を行うものとすることも可能である。
【００２９】
第１移動装置２０１と第２移動装置２０２との間で、高帯域幅低遅延インタフェース２０５、２１２を介して、またはこれらの装置間の他の無線インタフェースを介して、同期情報を通信するものとすることができる。同期情報は、低帯域幅型チャネルによって通信するものとすることができる。例えば、同期情報は、赤外線、Ｂｌｕｅｔｏｏｔｈ、あるいはその他のタイプのチャネルによって通信することができる。同期情報は、第１移動装置２０１と第２移動装置２０２との間のＭＩＭＯ処理を可能とするものである。例えば、第１移動装置２０１がモデム（図示せず）を介して第１信号２０３を受信するラップトップ型コンピュータであるとすると、第１移動装置２０１は、受信した第１信号２０３の帯域幅を増大させたいがため、第２移動装置２０２から第２信号２１８を受信し、帯域幅の増大を可能とすることができる。
【００３０】
したがって、本発明の実施形態によれば、２つの移動装置を使用して、互いにＭＩＭＯ処理を行うことができる。各移動装置は、単一の受信アンテナのみを備え、信号のＭＩＭＯ処理を実行することが可能なものとすることができる。携帯電話などの第２移動装置と同期してＭＩＭＯ処理を行うことにより、受信したデータの帯域幅を増大させたり、受信信号の品質を改善したりすることができる。
【００３１】
図３は、本発明の一実施形態例による、複数の移動装置を用いた受信ダイバーシティ処理のためのシステムの図を示している。システム３００は、第１信号３０５を受信する第１移動装置３０１と、第２信号３０６を受信する第２移動装置３０２と、第３信号３０７を受信する第３移動装置３０３と、第４信号３０８を受信する移動装置３０４とを含んだものとする。このシステムでは４つの移動装置を示しているが、本発明の実施形態はこの数に限定されるものではなく、移動装置はいくつ含んでもよい。説明のため、受信ダイバーシティ処理を行う移動装置は「マスタ」といい、受信ダイバーシティ処理で使用するマスタ移動装置へ信号を送信する移動装置は「スレーブ」ということにする。しかしながら、移動装置は全て、マスタとすることもスレーブとすることも可能なものである。この実施形態例では、第１移動装置３０１がマスタ装置であり、受信ダイバーシティ処理を行う。
【００３２】
第１移動装置３０１は他の移動装置３０２、３０３、３０４からの信号を受信することが可能であり、各信号は受信されると、第１信号３０５とともに受信ダイバーシティ処理を行うために使用される。マスタ第１移動装置３０１は、各信号を受信し、信号が第１信号３０５と同一の情報を含んだ元の信号の派生物であって受信ダイバーシティ処理を行うことができるかどうかを判定する。例えば、各スレーブ移動装置、すなわち第２移動装置３０２、第３移動装置３０３、第４移動装置３０４が信号を受信するものとし、それぞれ第２信号３０６、第３信号３０７、第４信号３０８を受信するものとする。各信号は、第１信号３０５の同一の情報を含んだ元の信号の派生物（ただし遅延していることがある）であるとする。第２移動装置３０２は、第１信号３０５の派生物である第２信号３０６を受信するものとすることができる。同様に、第３移動装置３０３、第４移動装置３０４も、受信ダイバーシティ処理のため、第１移動装置３０１に対して信号を受信、転送するものとすることが可能であり、それぞれ第３信号３０７、第４信号３０８を受信、転送する。スレーブ移動装置が多ければ多いほど、帯域幅や処理ゲインをさらに増大させることができる。
【００３３】
図４は、本発明の一実施形態例による、複数の移動装置を用いたＭＩＭＯ処理のためのシステムの図を示している。システム４００は、第１信号４０５を受信する第１移動装置４０１と、第２信号４０６を受信する第２移動装置４０２と、第３信号４０７を受信する第３移動装置４０３と、第４信号４０８を受信する移動装置４０４とを含んだものとする。このシステムでは４つの移動装置を示しているが、本発明の実施形態はこの数に限定されるものではなく、移動装置はいくつ含んでもよい。説明のため、ＭＩＭＯ処理を行う移動装置は「マスタ」といい、ＭＩＭＯ処理で使用するマスタ移動装置へ信号を送信する移動装置は「スレーブ」ということにする。しかしながら、移動装置は全て、マスタとすることもスレーブとすることも可能なものである。この実施形態例では、第１移動装置４０１がマスタ装置であり、ＭＩＭＯ処理を行う。
【００３４】
第１移動装置４０１は他の移動装置４０２、４０３、４０４からの信号を受信することが可能であり、各信号は受信されると、第１信号４０５とともにＭＩＭＯ処理を行うために使用される。マスタ第１移動装置４０１は、各信号を受信し、信号が第１信号４０５と同一の情報を含んだ元の信号の派生物であってＭＩＭＯ処理を行うことができるかどうかを判定する。例えば、各スレーブ移動装置、すなわち第２移動装置４０２、第３移動装置４０３、第４移動装置４０４が信号を受信するものとし、それぞれ第２信号４０６、第３信号４０７、第４信号４０８を受信するものとする。第２信号４０６、第３信号４０７、第４信号４０８は、それぞれ第１信号４０５と全く異なる情報を含んだ信号であるとする。したがって、第２移動装置４０２は、全く異なる第２信号４０６を受信し、この第２信号４０６を第１移動装置４０１へ転送するものとすることができる。同様に、第３移動装置４０３、第４移動装置４０４も、ＭＩＭＯ処理のため、第１移動装置４０１に対して信号を受信、転送するものとすることが可能であり、それぞれ第３信号４０７、第４信号４０８を受信、転送する。スレーブ移動装置が多ければ多いほど、帯域幅や処理ゲインをさらに増大させることができる。
【００３５】
図５は、本発明の別の実施形態例による受信ダイバーシティのためのシステムの図を示している。システム５００は、第１移動装置５０１と第２移動装置５０２とを含んだものとする。第１移動装置５０１は第１信号５０３を受信するものとし、第２移動装置５０２は第２信号５０４と第３信号５０５とを受信するものとする。この実施形態例では、第１移動装置５０１がマスタ装置であり、第１信号５０３と、第２移動装置５０２から受信した第２信号５０４とを用いて、受信ダイバーシティ処理を行うものとする。第２移動装置５０２は、第３信号５０５を受信し、処理するのと同時に、第１移動装置５０１での同期受信ダイバーシティ処理をサポートすることができる。例えば、第２移動装置５０２が携帯電話であるとすると、第３信号５０５は、別の装置との電話などの電気通信信号であろう。図示はしていないが、第１移動装置５０１は、受信ダイバーシティ処理を実行中に同時処理可能な別の信号を受信することも可能である。
【００３６】
図６は、本発明の別の実施形態例によるＭＩＭＯ処理のためのシステムの図を示している。システム６００は、第１移動装置６０１と第２移動装置６０２とを含んだものとする。第１移動装置６０１は第１信号６０３を受信するものとし、第２移動装置６０２は第２信号６０４と第３信号６０５とを受信するものとする。この実施形態例では、第１移動装置６０１がマスタ装置であり、第１信号６０３と、第２移動装置６０２から受信した第２信号６０４とを用いて、ＭＩＭＯ処理を行うものとする。第２移動装置６０２は、第３信号６０５を受信し、処理するのと同時に、第１移動装置６０１での同期受信ダイバーシティ処理をサポートすることができる。例えば、第２移動装置６０２が携帯電話であるとすると、第３信号６０５は、別の装置との電話などの電気通信信号であろう。図示はしていないが、第１移動装置６０１は、受信ダイバーシティ処理を実行中に同時処理可能な別の信号を受信することも可能である。
【００３７】
図７は、本発明の一実施形態例による受信ダイバーシティ処理のための処理のフローチャートを示している。処理７００では、ブロック７０１において、第１信号を第１移動装置で受信することができる。ブロック７０２において、第２信号を第２移動装置で受信することができる。ブロック７０３において、第２信号を第２移動装置から第１移動装置へ伝送することができる。ブロック７０４において、第２信号が第１信号の派生物であるかどうかを判定することが可能であり、派生物でない場合、処理は終了する。第２信号が第１信号の派生物である場合、ブロック７０５において、第１移動装置で第１信号と第２信号とを用いて受信ダイバーシティ処理を行うことができる。
【００３８】
図８は、本発明の一実施形態例によるＭＩＭＯ処理のための処理のフローチャートを示している。処理８００では、ブロック８０１において、第１信号を第１移動装置で受信することができる。ブロック８０２において、第２信号を第２移動装置で受信することができる。ブロック８０３において、第２信号を第２移動装置から第１移動装置へ伝送することができる。ブロック８０４において、第１信号に含まれるものとは異なる情報を第２信号が含んでいるかどうかを判定することが可能であり、含んでいない場合、処理は終了する。第１信号に含まれるものとは異なる情報を第２信号が含んでいる場合、ブロック８０５において、第１移動装置で第１信号と第２信号とを用いて受信ダイバーシティ処理を行うことができる。
【００３９】
図９は、本発明の別の実施形態例による、帯域幅を増大させる処理のフローチャートを示している。処理９００では、ブロック９０１において、第１移動装置で第１信号を受信することができる。ブロック９０２において、帯域幅の増大が所望されるどうかを判定することが可能であり、所望されない場合、処理はブロック９０１へ戻る。帯域幅の増大が所望される場合、ブロック９０３において、第１移動装置が、第１移動装置の近くのサポート可能な装置からのサポートを要求することができる。ブロック９０４において、第１移動装置は、サポートの提供を申し出た少なくとも１つの移動装置から１または２以上の確認応答を受信することができる。ブロック９０５において、第１移動装置は、少なくとも１つの第２移動装置の各々へ同期情報を送信することができる。ブロック９０６において、少なくとも１つの第２装置からの少なくとも１つの第２信号を、少なくとも１つの第２移動装置の各々から第１移動装置へ伝送することができる。ブロック９０７において、少なくとも１つの第２移動装置と同期した第１移動装置によって、受信ダイバーシティ処理やＭＩＭＯ処理を行うことができる。
【００４０】
図１０は、本発明の別の実施形態例による同時増大帯域幅サポートおよび信号処理のための処理のフローチャートである。処理１０００では、ブロック１００１において第１移動装置で第１信号を受信し、ブロック１００２において第２移動装置で第２信号を受信し、ブロック１００３において第３移動装置で第３信号を受信することができる。ブロック１００４において、第２移動装置が第１移動装置をサポートしているかどうかを判定することが可能であり、サポートしていない場合、ブロック１００５において第２移動装置が第３信号を処理することができる。第２移動装置が第１移動装置をサポートしている場合、ブロック１００６において、第２移動装置から第１移動装置へ第２信号を伝送することができる。そしてブロック１００７において、第１移動装置で第１信号と第２信号とを用いて受信ダイバーシティ処理やＭＩＭＯ処理を行うことができる。同時に、ブロック１００８において、第１移動装置での受信ダイバーシティ処理やＭＩＭＯ処理の同期サポートと同時に第２移動装置で第３信号を処理することができる。
【００４１】
図面におけるフローチャート、ブロック図は、本発明のさまざまな実施形態による、システムのあり得る実施形態のアーキテクチャ、機能、動作、方法、コンピュータプログラムプロダクトを示したものである。ここで、フローチャートやブロック図の各ブロックは、特定の論理機能を実施する１または２以上の実行可能命令を含む符号のモジュール、セグメント、部分を表している場合がある。実施形態の変更例によっては、図面に記載した順番どおりとはならない場合もある、ということにも留意すべきである。例えば、連続するように図示された２つのブロックは、実際には関連する機能に応じて、実質的に同時に実行したり、時には逆の順番で実行したりすることもできる。ブロック図のフローチャート説明図の各ブロック、ブロック図のフローチャート説明図のブロックの組合せは、特定の機能や行動を行う専用ハードウェアベースのシステムや、専用ハードウェアとコンピュータ命令との組合せで実施することが可能である、ということにも留意すべきである。
【００４２】
ここで使用した用語については、特定の実施形態を説明することも目的としており、本発明を限定しようとしたものではない。単数形「ａ」、「ａｎ」、「ｔｈｅ」をここで用いた場合は、文脈上に明確な指示がない限り、複数形も含むものとしたい。さらに、「ｃｏｍｐｒｉｓｅｓ」や「ｃｏｍｐｒｉｓｉｎｇ」という言葉を本明細書で用いた場合は、言明した特徴、整数、ステップ、動作、構成、構成要素の存在を特定するものであるが、１または２以上の他の特徴、整数、ステップ、動作、構成、構成要素、あるいはその組合せの存在や追加を排除するものではないと理解されよう。
【００４３】
ここでは特定の実施形態の図示および説明を行ったが、当業者であれば、示した特定の実施形態を、同一目的の達成を図る変更で置き換え可能であること、そして他の環境では本発明に他の応用があることを了解されよう。本出願は、本発明のいかなる適用や変更も含んだものとしたい。添付の特許請求の範囲については、決して、ここで説明した特定の実施形態に本発明の範囲を限定しようという意図はない。
【図１】
2011511504.tif 000003
【図２】
2011511504.tif 000004
【図３】
2011511504.tif 000005
【図４】
2011511504.tif 000006
【図５】
2011511504.tif 000007
【図６】
2011511504.tif 000008
【図７】
2011511504.tif 000009
【図８】
2011511504.tif 000010
【図９】
2011511504.tif 000011
【図１０】
2011511504.tif 000012
【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
信号（１０３）を受信可能なアンテナ（１０４）と、
前記信号（１０３）と同期した第２信号（１１８）を受信可能なインタフェース（１０５）と、
前記信号（１０３）と前記第２信号（１１８）とを用いて受信ダイバーシティ処理を行うアプリケーション（１１０）と
を含む移動装置（１０１）であって、
前記移動装置（３０１）は、同期した前記信号（３０５）と前記第２信号（３０６）との前記受信ダイバーシティ処理中に、第３電気通信信号（３０７）を処理する、移動装置（１０１）。
【請求項２】
前記インタフェース（１０５）は高帯域幅低遅延インタフェースを含む、請求項１に記載の装置。
【請求項３】
前記インタフェース（１０５）は、超広帯域（ＵＷＢ）インタフェース、マイクロ波インタフェース、ＷｉＭＡＸ（マイクロ波アクセス用世界的相互運用性）インタフェース、無線ＵＳＢ（ユニバーサルシリアルバス）インタフェースのうちの１つを含む、請求項１に記載の装置。
【請求項４】
前記第１移動装置（１０１）と同期した第２移動装置（１０２）での前記信号（１０３）と前記第２信号（１１８）との受信ダイバーシティ処理のため、前記第２移動装置（１０２）へ前記信号（１０３）を伝送可能な前記インタフェース（１０５）をさらに含む、請求項１に記載の装置。
【請求項５】
第２移動装置（１０２）と同期した前記移動装置（１０１）での前記信号（１０３）と前記第２信号（１１８）との受信ダイバーシティ処理のため、前記第２移動装置（１０２）から前記第２信号（１１８）を受信可能な前記インタフェース（１０５）をさらに含む、請求項１に記載の装置。
【請求項６】
前記移動装置（１０１、１０２）は、ポータブルコンピュータ、携帯情報端末（ＰＤＡ）、携帯電話、音声データ受信機、映像データ受信機、衛星データ受信機、電子ゲームのうちの１つを含む、請求項１に記載の装置。
【請求項７】
前記第２信号（１１８）は前記信号（１０３）の派生信号を含み、前記受信ダイバーシティ処理は前記信号（１０３）と前記派生信号（１１８）とを同期させて行う、請求項１に記載の装置。
【請求項８】
信号（２０３）を受信可能なアンテナ（２０４）と、
前記信号（２０３）と同期した第２信号（２１８）を受信可能なインタフェース（２０５）と、
前記信号（２０３）と前記第２信号（２１８）とを用いてＭＩＭＯ（多入力多出力）処理を行うアプリケーション（２１０）と
を含む移動装置（２０１）であって、
前記移動装置（２０１）は、同期した前記信号（４０５）と前記第２信号（４０７）との前記ＭＩＭＯ処理中に、第３電気通信信号（４０７）を処理する、移動装置（２０１）。
【請求項９】
前記インタフェース（２０５）は高帯域幅低遅延インタフェースを含む、請求項８に記載の装置。
【請求項１０】
前記インタフェース（２０５）は、超広帯域（ＵＷＢ）インタフェース、マイクロ波インタフェース、ＷｉＭＡＸ（マイクロ波アクセス用世界的相互運用性）インタフェース、無線ＵＳＢ（ユニバーサルシリアルバス）インタフェースのうちの１つを含む、請求項８に記載の装置。
【請求項１１】
前記移動装置（２０１）と同期した第２移動装置（２０２）での前記信号（２０３）と前記第２信号（２１８）とのＭＩＭＯ処理のため、前記第２移動装置（２０２）へ前記信号（２０３）を伝送可能な前記インタフェース（２０５）をさらに含む、請求項８に記載の装置。
【請求項１２】
第２移動装置（２０２）と同期した前記移動装置（２０１）での前記信号（２０３）と前記第２信号（２１８）とのＭＩＭＯ処理のため、前記第２移動装置（２０２）から前記第２信号（２１８）を受信可能な前記インタフェース（２０５）をさらに含む、請求項８に記載の装置。
【請求項１３】
前記移動装置（２０１）は、ポータブルコンピュータ、携帯情報端末（ＰＤＡ）、携帯電話、音声データ受信機、映像データ受信機、衛星データ受信機、電子ゲームのうちの１つを含む、請求項８に記載の装置。
【請求項１４】
前記第２信号（２１８）は前記信号（２０３）の派生信号を含み、前記ＭＩＭＯ処理は前記信号（２０３）と前記派生信号（２１８）とを同期させて行う、請求項８に記載の装置。
【請求項１５】
少なくとも２つの装置の間の受信ダイバーシティ処理およびＭＩＭＯ（多入力多出力）処理のための方法であって、
第１移動装置で第１信号を受信するステップ（９０１）と、
第２移動装置で少なくとも１つの第２信号を受信するステップ（９０２）と、
前記第１移動装置へ前記少なくとも１つの第２信号を伝送するステップ（９０６）と、
前記少なくとも１つの第２信号が前記第１信号の派生信号を含む場合、前記第１信号と前記少なくとも１つの第２信号とを用いて受信ダイバーシティ処理を行うステップ（９０７）と、
前記第１信号と異なる情報を含んだ信号を前記少なくとも１つの第２信号が含む場合、前記第１信号と前記少なくとも１つの第２信号とを用いてＭＩＭＯ処理を行うステップ（９０７）と、
同期した前記信号（４０５）と前記第２信号（４０７）との前記受信ダイバーシティ処理中または前記ＭＩＭＯ処理中に、第３電気通信信号（４０７）を処理するステップと
を含む方法。
【国際調査報告】
2011511504.tif 000013
2011511504.tif 000014
2011511504.tif 000015